(57)【要約】【課題】撮影画像の付属情報として被写体情報を撮影ごとに迅速かつ手軽に取得することができる撮影システムを提供する。【解決手段】この撮影システムは、電子タグを組み込んだ被写体、または情報発信装置が配置された撮影場所を電子タグ情報・情報発信装置情報読取受信可能な受信装置内臓デジタルカメラで撮影するとき、電子タグまたは情報発信装置に登録されている情報を引き出すことで、撮影した画像データに付加情報として添付する。【選択図】図４
2010041702.tif 000002
【特許請求の範囲】
【請求項１】
被写体に、電子タグ（ＩＣチップとアンテナ・発信装置により構成され、物品等に装着されるものであり、その中に当該物品等の識別情報その他の情報を記録し、電波を利用することによりこれらの情報の読み取りができるものをいう）を内蔵することにおいて、これらの情報を受信装置内臓デジタルカメラで撮影する際に、被写体の情報を写真とともに記録媒体に記録する撮影システム。
【請求項２】
撮影場所に電子情報送信システム（コンピュータとアンテナにより構成され、コンピュータに撮影場所情報を記録し、電波を利用することによりこれらの情報の読み取りができるものをいう）を設置することにおいて、これらの情報を受信装置内臓デジタルカメラで撮影する際に、被写体の情報を写真とともに記録媒体に記録する撮影システム。
【請求項３】
被写体に、ＩＣチップ（当該物品等の識別情報その他の情報を記録し、ＩＣチップ読み取り可能なデジタルカメラを利用することによりこれらの情報の読み取りができるものをいう）を内蔵することにおいて、これらの情報をＩＣチップ読取り装置内臓デジタルカメラで撮影する際に、被写体の情報を写真とともに記録媒体に記録する撮影システム。
【請求項４】
受信装置内臓デジタルカメラで撮影をする際、請求項１・請求項２の電子情報送信システムが設置してあった場合、被写体情報が存在することをカメラが表示し、撮影時に画像とともに情報を保存できる撮影システム。
【請求項５】
請求項３のＩＣチップが存在し、被写体をＩＣチップ読取り装置内臓デジタルカメラで撮影をする場合、撮影前、もしくは撮影後にＩＣチップ読取り装置内臓デジタルカメラでＩＣチップをデジタルカメラで読み取るとカメラがＩＣチップに保存された情報を表示し、撮影画像とともにその情報を保存できる撮影システム。
【請求項６】
前記情報記憶手段は、予め定められた撮影動作モードが設定されたときから当該撮影動作モードが解除されるまでの間の撮影によって得られた画像情報を前記画像情報の記憶の対象とすると共に、当該画像情報特定情報を撮影された順に記憶する請求項１〜５記載のデジタルカメラ。
【発明の詳細な説明】
【技術分野】
【０００１】  本発明は撮像装置と被写体に係り、特に物品などを撮影した撮影画像とともに、該撮影画像に対して被写体情報の入力が可能な撮像装置に関する。
【背景技術】
【０００２】  カメラの撮影に関してアナログカメラからデジタルカメラへと普及率が変動してきている。さらに携帯電話などにもデジタルカメラ機能が組み込まれ社会的普及率も高くなってきている。デジタルカメラには以下に述べるような利点が存在する。【０００３】  撮影した画像をデジタルカメラのＬＣＤ等の表示装置を用いて、その場で閲覧ができる。これにより撮影に失敗した画像や、必要の無くなった画像の消去を行うことができる。撮影した画像をパーソナルコンピュータに採り込んで、画像の加工、編集をデジタル処理で容易に行うことができる。パーソナルコンピュータを用いて印刷したり、デジタルファイルとして画像を送信したりすることができる。パーソナルコンピュータに撮影画像を転送することにより劣化しないデジタル画像を保存できる。また、動画や音声のようなマルチメディアの画像を扱うことのできるデジタルカメラもある。【０００４】  このような理由で、パーソナルコンピュータの普及に伴って、デジタルカメラを利用するケースが多い。最近はデジタルカメラ機能つき携帯電話の普及に伴い利用者も増加してその利用方法も多種多様になっている。撮影画像に関しての説明などは各自入力の必要がある。【０００５】  アナログカメラではカメラの機能で日付などをカメラの機能で撮影時に付加できる、また、その他の情報は撮影時に説明版を一緒に撮影する必要がある、これは写真そのものに説明が写ることになるので写真として説明が邪魔になることになる。【０００６】  これに対して、デジタルカメラでは、日時の設定、撮影者の氏名等を設定して、撮影した写真画像に日付入れ、撮影者名を入れることができるものがある、さらに、これに、加えて、撮影画像に複数項目の内容を付加情報として添付して入力することができるようにしたものもある（特許文献１参照。）
この場合、デジタルカメラを操作して文字入力を撮影者が行う必要がある。【０００７】  撮影された画像と、入力されたテキストを撮影画像の付加情報としてパーソナルコンピュータに転送し、付加情報で画像を分類、整理するという画像編集作業、画像管理作業が非常に容易になりつつある。
【特許文献１】  特許第３０９  ２１４２号公報
【発明の開示】
【発明が解決しようとする課題】
【０００８】さまざまなデジタルカメラが発表されているが小型化になりつつあるデジタルカメラでは操作キーも小型化しており、デジタルカメラ付属のＬＣＤなどの画面を見ながら付加データを入力するのは困難である。【０００９】従来のデジタルカメラでは、画像データに添付される付加情報を迅速かつ手軽にしかも正確に入力し難いという不都合が残っている。【００１０】本発明は、上記の事情に鑑みて為されたもので、その目的とするところは、画像データに添付される付加情報を撮影毎に迅速かつ手軽にしかも正確に取得することができ、画像データの編集処理が容易な撮影システムと、これを用いたデジタルカメラを提供することを目的とする。
【課題を解決するための手段】
【００１１】請求項１に記載の電子タグは、ＩＣチップとアンテナにより構成され、ＩＣチップに自身の情報をテキストで保持し、アンテナにより情報を発信する。発信された情報を受信装置内臓デジタルカメラで受信してその内容を撮影画像の付加情報として添付して登録する。【００１２】請求項２に記載の電子情報送信システムはコンピュータとアンテナにより構成され、コンピュータに撮影場所情報を記録し、電波を利用することによりこれらの情報の読み取りができるものをいう、発信された情報を受信装置内臓デジタルカメラで受信してその内容を撮影画像の付加情報として添付して登録する。【００１３】上記に述べた受信装置内臓デジタルカメラは、被写体を画像データとして符号化処理して該画像データを記録する記録部と、情報を発信する電子タグ、もしくは電子情報送信システムからの情報を受信する受信部と、前記画像データに受信部が受信した内容を付加情報として付加するデータ入力部とを備え、項目毎に前記画像データに付加情報として添付することを特徴とする。【００１４】請求項３に記載の受信装置内臓デジタルカメラはモード設定で、情報取得の可・不可の設定ができ、ユーザーが選択する選択手段を有することを特徴とする。【００１５】請求項３に記載の受信装置内臓デジタルカメラは撮影時に、情報登録の可・不可が選択でき、ユーザーが選択する選択手段を有することを特徴とする。【００１６】請求項３に記載の受信装置内臓デジタルカメラが複数の情報発信源から情報を取得したとき、保存する情報を選択する手段を有することを特徴とする。
【発明の効果】
【００１７】本発明によれば、撮影した画像に対し、その撮影した撮影装置が撮影対象物、もしくは撮影場所に設置された情報発信機器から情報を取得して撮影画像の付加情報として情報を取得できる。
【発明を実施するための最良の形態】
【００１８】以下添付図面に従って本発明に係る装置の好ましい実施の形態について詳説する。【００１９】図１及び図２はそれぞれ本発明に係る撮影構図を示し、実施形態を示す図である。【００２０】図１は本発明に係わる撮影構図を示し、この図において、１は受信機内臓デジタルカメラを、２は被写体に組み込まれたＩＣタグ（情報発生装置）を表す。２より発生している情報（Ａ１）を１が感知して、２の含まれる被写体を撮影する際に、同時に２より発生している情報（Ａ１）を画像と関連したテキストファイルとして保存する。【００２１】図２は本発明に係わる撮影構図を示し、この図において、１は受信機内臓デジタルカメラを、３は被写体（撮影場所）付近に設置された情報発生装置を、４は情報発生装置へと情報で発信する情報の発信元のパーソナルコンピュータ（制御部）表す。３より発生している情報（Ａ２）を１が感知して、撮影場所で撮影を行うと、３より発生している情報（Ａ２）を画像と関連したテキストファイルとして保存する。【００２２】情報発生装置が存在する場所で、受信装置内臓デジタルカメラを使用して撮影する際のデジタルカメラの操作の流れを図３で示している。情報発生装置が存在する場所で撮影をしようとすると（Ｓ１）、デジタルカメラが情報発生装置から電波が出ていないか調べる（Ｓ２）、電波が出ていない場合は通常の撮影と同じように撮影される（Ｓ３）。電波が出ている場合は情報を保存するか、破棄するかユーザーに選択できるようにする（Ｓ４）。【００２３】情報発生装置が複数存在する場合の受信装置内臓デジタルカメラ側の表記を図４で示している。情報発生装置が複数存在する場合は、情報がデジタルカメラのＬＣＤに情報が表示され、撮影者がデジタルカメラを操作して、保存したい情報を選択して撮影を行う。【００２４】図５はＩＣチップが存在する被写体をＩＣチップ読取装置内臓デジタルカメラで撮影する状況を示しており、この図において、５はＩＣチップ読取装置内臓デジタルカメラを、６は被写体情報が保存されたＩＣチップを示す。
発信装置が無く、６のみの被写体を撮影する場合、撮影前、もしくは撮影後に６の情報を５の機能で読み取り、読み取った情報を撮影画像に関連付けする作業を行うことで画像と関連したテキストファイルとして保存する。保存されている情報（Ａ１）はＩＣタグのものと同様である。
【図面の簡単な説明】
【図１】ＩＣタグに記録された情報を受信装置内臓デジタルカメラで撮影する状況を示す図である。
【図２】情報発信装置から配信される情報を受信装置内臓デジタルカメラで撮影する状況を示す図である。
【図３】ＩＣタグまたは情報発信装置から配信される情報を受信装置内臓デジタルカメラで撮影する際の、デジタルカメラ側の処理の流れを示す図である。
【図４】情報発信装置が複数存在する場合の受信装置内臓デジタルカメラの操作方法の例を示す図である。
【図５】ＩＣチップが存在する被写体をＩＣチップ読取装置内臓デジタルカメラで撮影する状況を示す図である。
【符号の説明】
１・・・受信装置内臓デジタルカメラ、２・・・被写体内臓ＩＣタグ、３・・・情報発信装置（発信部）、４・・・情報発信装置（制御部）、５・・・ＩＣチップ読取装置内臓デジタルカメラ、６・・・ＩＣチップ、Ａ１・・・ＩＣタグ保存内容の例、Ａ２・・・情報発信装置保存内容の例
【図１】
2010041702.tif 000003
【図２】
2010041702.tif 000004
【図３】
2010041702.tif 000005
【図４】
2010041702.tif 000006
【図５】
2010041702.tif 000007